(57)【要約】【課題】分離された状態の橙と鏡餅容器を収納しつつも、収納した鏡餅セットの見栄えをよくする鏡餅セット収納箱を提供する。【解決手段】鏡餅セットを収納するための収納箱１０の開口には、橙取付板３０が形成されている。該橙取付板３０は、橙７０を取付可能とするとともに、収納箱１０の内方へ向けて折込線Ｎに沿って折込可能とする。収納箱１０内に折り込まれた橙取付板３０は、取り付けた橙７０を鏡餅容器６０の上面に押し付ける。【選択図】図２
2008030808.tif 000002
【特許請求の範囲】
【請求項１】
板材を複数箇所で折り曲げることで箱状をなし、少なくとも一面を開口させて少なくとも鏡餅容器及び橙を含む鏡餅セットの出し入れを可能にするとともに該開口を塞ぐ蓋を備えた鏡餅セット収納箱において、
前記板材は、前記開口に位置するように橙取付板を形成して橙を取付可能とし、該橙取付板は、取り付けた橙を前記鏡餅容器の上面に向けて押し付けるように前記開口から内方へ向けて折込可能であることを特徴とする鏡餅セット収納箱。
【請求項２】
前記板材は、内部の鏡餅セットを外部から視認可能とするための窓孔を形成し、前記橙取付板は折込時に前記窓孔と対向しないように切欠が設けられていることを特徴とする請求項１に記載の鏡餅セット収納箱。
【請求項３】
前記橙取付板は、その基端側と先端側とを区画する折り線によって折曲可能であることを特徴とする請求項１又は２に記載の鏡餅セット収納箱。
【発明の詳細な説明】
【技術分野】
【０００１】
本発明は、正月や祝い事の際に飾り付ける鏡餅セットの収納箱に関するものである。
【背景技術】
【０００２】
近年、プラスチック製の鏡餅容器に軟化状態の餅や、真空パック詰めの小さな切り餅等を封入した鏡餅が生産されており、これらに飾り体（プラスチック製の橙、三方、御幣等）を付属させた鏡餅セットが収納箱に収納されて販売されている。
【０００３】
特許文献１で知られるように、従来は、プラスチックで形成された鏡餅容器の上面に同じくプラスチック製の橙を止着した擬似鏡餅が生産されている。しかしながら、詰め入れた餅を取出す際には、鏡餅容器を逆さ、あるいは横向きに倒して密封シールを剥す必要があり、鏡餅容器の上面に橙が止着されていると橙が邪魔となって密封シールが剥がしにくく、餅が取出しにくいといった問題があった。また、最近では、鏡餅容器の上面に橙以外のものを載せて飾る習慣が広まりつつあるため、従来の上面に橙が止着されている鏡餅容器では、橙を他の飾りと取り替えることができず、このような変化に対応できないといった問題もあった。
【０００４】
上記のような問題を解決する手段として、橙と鏡餅容器とを止着せずに取付け取外し可能とする構成が提案されている。橙を鏡餅容器に対して取付け取外し可能とすることで、鏡餅容器から餅を取り出す際に橙が邪魔になることはなく、また、鏡餅容器の上面に飾られている橙を取外し、橙を他の飾りと取り替えることも可能となる。特許文献２に記載の鏡餅セット収納箱は、橙と鏡餅容器とを別々にして収納することを可能にし、とくに鏡餅容器と収納箱前面側部との隙間に橙を収納することで収納効率を高めている（図９参照）。
【特許文献１】特開平１１−１２７８０１号公報
【特許文献２】特開２００５−８１６８号公報
【発明の開示】
【発明が解決しようとする課題】
【０００５】
しかしながら、特許文献２に開示されている発明は、鏡餅セット収納箱の高い収納効率を実現しているものの、橙が鏡餅容器に飾り付けられた状態をディスプレイして商品陳列をすることができず、見栄えがよくないといった問題があった。本発明の目的は、分離された状態の橙と鏡餅容器を収納しつつも、収納した鏡餅セットの見栄えをよくする鏡餅セット収納箱を提供することにある。
【課題を解決するための手段】
【０００６】
上記の課題を解決するために、請求項１に係る発明は、板材を複数箇所で折り曲げることで箱状をなし、少なくとも一面を開口させて少なくとも鏡餅容器及び橙を含む鏡餅セットの出し入れを可能にするとともに該開口を塞ぐ蓋を備えた鏡餅セット収納箱において、前記板材は、前記開口に位置するように橙取付板を形成して橙を取付可能とし、該橙取付板は、取り付けた橙を前記鏡餅容器の上面に向けて押し付けるように前記開口から内方へ向けて折込可能であることをその要旨とする。この発明では、収納箱に取付けた橙を鏡餅容器の上面に押し付けるように構成されているため、橙を鏡餅容器の上面に安定して位置させることができる。
【０００７】
請求項２に係る発明は、請求項１に係る発明の鏡餅セット収納箱において、前記板材は、内部の鏡餅セットを外部から視認可能とするための窓孔を形成し、前記橙取付板は折込時に前記窓孔と対向しないように切欠が設けられていることをその要旨とする。この構成によれば、橙取付板が窓孔から視認されることもなく、橙取付板の存在を目立たなくさせる。
【０００８】
請求項３に係る発明は、請求項１又は２に係る発明の鏡餅セット収納箱において、前記橙取付板は、基端側と先端側とを区画する折り線によって折曲可能であることを要旨とする。この構成では、橙取付板が箱の内方へ折り込まれるときには、橙取付板の先端側を可能な限り水平化することが可能になるため、橙に作用する押し付け力を可能な限り垂直方向に指向させることができる。そのため、橙の鏡餅本体に対する載置が安定化する。
【発明の効果】
【０００９】
本発明の鏡餅セット収納箱によれば、分離された状態の橙と鏡餅容器を収納しつつも、収納した鏡餅セットの見栄えをよくすることができる。
【発明を実施するための最良の形態】
【００１０】
［第１実施形態］
以下、本願発明を具体化した第１実施形態の鏡餅セット収納箱を図１〜３に基づき詳細に説明する。図１は、組み立てられる前の収納箱１０の展開図である。板材１１は、接合片１２、後壁１３、上壁１４、前壁１５、底壁１６が一直線状に連設されるとともに、それら各壁間にある折曲線Ｍに沿って折曲可能に形成されている。これら各壁の一方の側縁（図１の左側）にはそれぞれ組板１７が連設されているとともに、各壁の他方の側縁（図１の右側）にはそれぞれ蓋板２０が連設されている。これら蓋板２０は収納箱１０の蓋を構成し、それら蓋板２０のうち、後壁１３に第１内蓋２１が、上壁１４に第２内蓋２２が、前壁１５に第３内蓋２３が、底壁１６に外蓋２４がそれぞれ連設されている。なお、本実施形態では第２内蓋２２そのものが橙取付板３０として機能しているため、以下では第２内蓋２２を橙取付板３０と呼ぶこととして説明する。また、これに関連して、橙取付板３０と上壁１４との間の折曲線Ｍは橙取付板３０を収納箱１０の内方へ折り込むための折込線Ｎと同一になるため、以下では、これらをまとめて折込線Ｎと呼ぶこととして説明する。
【００１１】
図１及び図２に示すように、窓孔４０は、前壁１５から上壁１４に到るように形成され、とくに上壁１４では略半円状をなすように形成されている。前記橙取付板３０は、上壁１４の窓孔４０に合わせて曲線状をなす切欠部３１を形成しており、結果として橙取付板３０は第１内蓋２１と第３内蓋２３との間の中央線Ｃにおいて非対称となる形状をなしている。橙取付板３０は、折込線Ｎから所定の間隔をおいて、折込線Ｎと同方向に延びるように折り線Ｌを設けている。この折り線Ｌは、橙取付板３０を先端側と基端側とに区画し、その先端側に橙取付孔３２が形成されている。
【００１２】
上述した板材１１を組み立てて収納箱１０を作製する場合には、接合片１２と底壁１６とが接合されるとともに、側壁１８をなすように各組板１７が組み込まれる。図２、３は、組み立てられた収納箱１０を示し、とくに、橙取付板３０の折込状態が理解しやすいように上壁１４の図示を省略している。この収納箱１０では側壁１８と対向して開口部１９が形成され、開口部１９は第１内蓋２１及び第３内蓋２３と外蓋２４とで開閉可能となる。橙取付板３０は、折り線Ｌによって折りつつ、上壁１４との間の折込線Ｎを軸として回転させるようにして収納箱１０の内方へ向けて折り込まれて、上壁１４と対向するように配置される。このとき、橙取付板３０は切欠部３１を形成しているため、窓孔４０に対向することはない。
【００１３】
次に、図２、３にしたがって鏡餅容器６０、橙７０、及び三方８０から構成される鏡餅セットを収納箱１０に収納する方法を説明する。各壁が組み立てられ開口部１９が開口されている状態において、収納箱１０の内部に三方８０及び鏡餅容器６０をセットする。橙７０は、橙取付板３０の橙取付孔３２に蔕部７１を上方から差し込んで取り付ける。この状態で橙取付板３０を折り線Ｌに沿って折りつつ、橙取付板３０を上壁１４との間の折込線Ｎに沿って折り込む。折り線Ｌに沿った折れにより橙取付板３０の先端側は略水平状態となるように配置される。橙取付孔３２は、鏡餅容器６０の上方に配されるように位置決めされているから、橙７０は鏡餅容器６０の上面に載置される。
【００１４】
このとき、橙取付板３０には、折込線Ｎ及び折り線Ｌに沿った折込に抗して元の状態に戻ろうとする復元力Ｐが作用している。この復元力Ｐは、橙取付板３０が折り線Ｌに沿って略水平状態に折られることで垂直方向に作用する。そのため、橙取付孔３２に取り付けられた橙７０は、鏡餅容器６０の上面に向けて垂直方向に押し付けられるようになる。
【００１５】
また、橙取付板３０は切欠部３１を形成しているため、橙取付板３０を上壁１４の窓孔４０から視認することはできない。さらに、折込線Ｎと折り線Ｌとは所定の間隔を有して離間しており、この離間長は、橙取付孔３２からの蔕部７１の突出長より大きく設定されているため、橙取付板３０に差し込まれた蔕部７１が箱内に安定的に収まる。
【００１６】
次に、第１内蓋２１を後壁１３との間の折曲線Ｍに沿って折り曲げつつ、第３内蓋２３を前壁１５との間の折曲線Ｍに沿って折り曲げ、それら第１及び第３内蓋２１、２３を覆うように外蓋２４を底壁１６との間の折曲線Ｍに沿って折り曲げて収納箱１０の開口部１９を閉じる。外蓋２４の先端側に形成された差込片２５は橙取付板３０に摺接するように差し込まれ、収納箱１０の開口部１９の閉状態が保持される。
【００１７】
本実施形態における作用効果を以下に列挙する。
（１）本実施形態では、上壁１４に連設された第２内蓋２２を橙取付板３０として採用し、その先端部には鏡餅容器６０の上方に配されるように位置決めされた橙取付孔３２が設けられている。従って、本実施形態の収納箱１０は、橙取付孔３２に取り付けた橙７０を鏡餅容器６０の上面に位置させて収納することができ、収納した鏡餅セットの見栄えがよくなる。
【００１８】
（２）本実施形態では、前記橙取付板３０に切欠部３１が形成されている。従って、前記橙取付板３０は上壁１４の窓孔４０から視認できなくなり、窓孔４０による鏡餅セットの視認性が橙取付板３０によって損なわれることはない。
【００１９】
（３）本実施形態では、前記橙取付板３０を上壁１４との間の折込線Ｎに沿って折り込みつつ、前記橙取付板３０の先端側が略水平状態となるように折り線Ｌに沿って折られている。このとき、前記橙取付板３０には折込線Ｎ及び折り線Ｌに沿った折込に抗して元の位置に戻ろうとする復元力Ｐが垂直方向に作用するため、橙取付孔３２に取付けられた橙７０は鏡餅容器６０の上面に向けて押し付けられるようになる。従って、橙７０を鏡餅容器６０の上面に安定して位置させることができる。
【００２０】
（４）橙取付板３０として板材１１の一部分である第２内蓋２２を利用しているため、橙７０を取付けるための特別な取付け部材を必要とせず、収納箱１０の製造コストを抑えることができる。
【００２１】
（５）本実施形態では、第２内蓋２２そのものが橙取付板３０として機能し、橙取付板３０に設けられた橙取付孔３２に対して、橙７０を上方から取り付ける構成となっている。そのため、鏡餅セットの収納作業は、収納箱１０に三方８０及び鏡餅容器６０をセットした後に、橙取付板３０の橙取付孔３２に、橙７０を取付け、そのまま橙取付板３０を収納箱１０の内方に折り込むだけでよく、容易に収納することができる。
【００２２】
（６）折込線Ｎと折り線Ｌとは所定の間隔を有して離間しており、離間長を橙取付孔３２からの蔕部７１の突出長よりも大きくしておくことで、橙７０の収納状態を安定化させることができる。
［第２実施形態］
次に、第２実施形態の鏡餅セット収納箱を図４〜６に基づき詳細に説明する。なお、第１実施形態と同一構成の部分は同一の符号を付し、第１実施形態と相違する点を中心にして説明する。
【００２３】
図４は、組み立てられる前の収納箱１０の展開図である。本実施形態の板材１１は蓋板２０の構成に特徴があり、後壁１３に連設する第１内蓋２１及び前壁１５に連設する第３内蓋２３を備える一方、第１実施形態の板材１１に設けられていた上壁１４に連設する第２内蓋２２が備えられていない。第３内蓋２３は、略Ｕ字状の切込３５を備え、その切込３５の両端を結ぶ折込線Ｎによって切込３５の内域が収納箱１０の内方へ向けて折込可能に設けられている。本実施形態では、切込３５の内域が橙取付板３０を構成することになり、その橙取付板３０は折込時には上壁１４と対向するのみである。橙取付板３０は、橙取付孔３２を先端側に形成するとともに、橙取付板３０の短手方向の長さは橙７０の直径よりも大きくなるように設定されている。また、第３内蓋２３において、上壁１４側の端縁Ｔから折込線Ｎまでの長さは、橙７０の蔕部７１の長さより大きく設定されている。この上壁１４側の端縁Ｔから折込線Ｎまでの長さによって、折込線Ｎに沿った橙取付板３０の折込時に、橙取付板３０が略水平状態となるように配置される。
【００２４】
図５、６にしたがって鏡餅容器６０、橙７０、及び三方８０から構成される鏡餅セットを収納箱１０に収納する方法を説明する。なお、図５、６は、組み立てられた収納箱１０を示し、とくに、橙取付板３０の折込状態が理解しやすいように上壁１４の図示を省略している。第３内蓋２３に形成されている橙取付板３０の橙取付孔３２に橙７０が外方に位置するように蔕部７１を差し込み、その後、橙７０が取り付けられた状態の橙取付板３０を折込線Ｎに沿って折り込む。このとき、橙７０の直径よりも橙取付板３０の短手方向の幅が大きいことから、橙７０は第３内蓋２３を通過して収納箱１０の内方へ移動する。橙７０は鏡餅容器６０の上面に載置され、橙取付板３０には、折込線Ｎに沿った折込に抗して元の状態に戻ろうとする復元力Ｐが橙取付板３０に対して垂直方向に作用している。そのため、折込線Ｎによって水平状態に折り込まれた橙取付板３０に取り付けられた橙７０は、鏡餅容器６０の上面に向けて垂直方向に押し付けられるようになる。
【００２５】
また、橙取付板３０は第３内蓋２３における配置構成から上壁１４のみと対向するように形成しているため、橙取付板３０を上壁１４の窓孔４０から視認することはできない。さらに、第３内蓋２３において、上壁１４側の端縁Ｔから折込線Ｎまでの長さは、橙取付孔３２からの蔕部７１の突出長より大きく設定されているため、橙取付板３０に差し込まれた蔕部７１が安定的に箱内に収まる。
【００２６】
次に、第１内蓋２１を後壁１３との間の折曲線Ｍに沿って折り曲げつつ、第１及び第３内蓋２１、２３を覆うように外蓋２４を折り曲げて収納箱１０の開口部１９を閉じる。外蓋２４の先端側に形成された差込片２５は第１及び第３内蓋２１、２３の端縁に摺接するように差し込まれ、収納箱１０の開口部１９の閉状態が保持される。
【００２７】
本実施形態においても第１実施形態と同様の作用効果を得ることができる。また、第３内蓋２３は、開口部１９を閉じるという蓋本来の機能に加え、橙７０を取り付けて収納するという機能を付加して多機能化させることによって、板材１１の部材点数を少なくすることができる。
【００２８】
上記の実施形態は、次に示すように変更することもできる。
・各実施形態では、開口部１９を一面に設けたが、開口部１９の数は一面に限られるものではない。例えば、第１、第２実施形態において、各壁の一方の側縁（図１、図４の左側）にそれぞれ連設されている組板１７の代わりに、各壁の他方の側縁（図１、図４の右側）と同様の蓋板２０を連設することで開口部１９を二面に設けることもできる。
【００２９】
・各実施形態では、鏡餅セットとして鏡餅容器６０、橙７０、三方８０を収納していたが、鏡餅セットはこれらに限られるものではない。例えば、三方８０はなくてもよいし、御幣、扇、末広等の飾り体を鏡餅セットに含めてもよい。
【００３０】
・各実施形態では、前壁１５から上壁１４にかけて窓孔４０を形成したが、窓孔４０の大きさはこれに限られるものではない。例えば、窓孔４０を前面壁のみに形成するようにしてもよいし、例えば第１実施形態においては、窓孔４０はなくてもよい。この場合、収納箱１０の各蓋を開き、開口を見せて商品陳列することで収納された鏡餅セットを視認させることができる。また、上壁１４に設けられている窓孔４０の形状は半円状であったが、これは半円状に限られるものではない。例えば、多角形状としてもよいし、楕円状としてもよい。
【００３１】
・第１実施形態では、橙取付板３０に切欠部３１を設けたが、切欠部３１はなくてもよい。この場合、橙取付板３０の窓孔４０と対向する部位には商品名や絵などをプリントし、外部から視認される部分のデザイン性を高めることで見栄えをよくすることができる。
【００３２】
・第１実施形態の収納箱１０を形成するための板材１１の展開図は図１に限られるものではない。例えば、組板１７の代わりに一枚の壁面と接合片を設け、接合片を他の壁面に接着することにより組立て可能としてもよい。同様に、第２実施形態の収納箱１０を形成するための板材１１の展開図は図４に限られるものではない。
【００３３】
・第２実施形態において、第３内蓋２３に設けた略Ｕ字状の切込３５の内側を橙取付板３０として採用したが、橙取付板３０は第３内蓋２３以外の内蓋に形成してもよい。例えば、図７に示す別例のような形態でもよい。この例では第１内蓋２１に略Ｕ字状の切込３５を設け、その内側を橙取付板３０として採用する。そして、第１内蓋２１を後壁１３と接するように内方へ折り曲げ、後壁１３側から前方へ向かうように橙取付板３０を折り込む構成とする。このように構成することで、窓孔４０を通して視認できる橙取付板３０の端面が少なくなるため、橙取付板３０が目立たなくなり、収納した鏡餅セットをすっきりと見せることができる。
【００３４】
・第２実施形態において、橙取付板３０の形状は略Ｕ字状に限られるものではなく、多角形状としてもよいし、略円形状としてもよい。さらに、略Ｕ字状の切込３５の位置は第３内蓋２３の中央部に限られるものではなく、例えば、第３内蓋２３の端縁を含む切込３５を設けることで構成してもよい。また、橙取付板３０の短手方向の長さは橙７０の直径よりも大きく設定していたが、橙７０の直径よりも小さくしてもよい。
【００３５】
・各実施形態において、橙７０は橙取付孔３２に蔕部７１を差し込むことで取り付けていたが、橙７０の取付け方法はこれに限られるものではない。例えば、図８に示すように、橙７０は蔕部７１と実部７２の組立て分解可能な二部材から構成されるものとしても良い。このようにした場合、蔕部７１と実部７２で橙取付板３０を挟み込むように橙７０を取付けることができ、橙取付板３０からの橙７０の落下を防止することができる。
【００３６】
次に、上記実施形態及び別例から把握できる技術的思想について以下に追記する。
・橙は組立て分解可能な複数の部材から構成されている鏡餅セット収納箱。
・前記橙取付板は、前記収納箱の前壁に連設される蓋に設けられた略Ｕ字状の切込の内域であることを特徴とする鏡餅セット収納箱。
【００３７】
・前記橙取付板は、前記収納箱の後壁に連設される蓋に設けられた略Ｕ字状の切込の内域であることを特徴とする鏡餅セット収納箱。
【図面の簡単な説明】
【００３８】
【図１】第１実施形態の鏡餅セット収納箱の展開図。
【図２】第１実施形態の鏡餅セット収納箱に鏡餅セットを収納した状態の斜視図。
【図３】第１実施形態の鏡餅セット収納箱に橙を取付ける前後の状態の斜視図。
【図４】第２実施形態の鏡餅セット収納箱の展開図。
【図５】第２実施形態の鏡餅セット収納箱に鏡餅セットを収納した状態の斜視図。
【図６】第２実施形態の鏡餅セット収納箱に橙を取付ける前後の状態の斜視図。
【図７】別例の鏡餅セット収納箱に鏡餅セットを収納した状態の斜視図。
【図８】別例の橙を橙取付孔に取付けた状態の側面図。
【図９】従来の鏡餅セット収納箱に鏡餅セットを収納した状態の斜視図。
【符号の説明】
【００３９】
１０…収納箱、１１…板材、１４…上壁、２１…第１内蓋、２２…第２内蓋、２３…第３内蓋、３０…橙取付板、３１…切欠部、３２…橙取付孔、３５…切込、４０…窓孔、６０…鏡餅容器、７０…橙、Ｌ…折り線、Ｎ…折込線、Ｍ…折曲線。
【図１】
2008030808.tif 000003
【図２】
2008030808.tif 000004
【図３】
2008030808.tif 000005
【図４】
2008030808.tif 000006
【図５】
2008030808.tif 000007
【図６】
2008030808.tif 000008
【図７】
2008030808.tif 000009
【図８】
2008030808.tif 000010
【図９】
2008030808.tif 000011